(57)【特許請求の範囲】
【請求項１】
ガス給湯器を所定の高さに取付けることが出来るガス給湯器の取付け架台において、土台に固定されるベースから垂直に起立するスタッドを設け、このスタッドにはガス給湯器及び配管カバーを取付ける為の取付け部を設け、そして、上記スタッドには、筒体の内部に給湯管、給水管、ガス管、オーバーフロー管、追い炊き配管、配線用配管をまとめて収容して上端と下端を上記筒体から突出した配管部材を取着したことを特徴とするガス給湯器の取付け架台。
【請求項２】
上記取付け部はスタッドより幅広の枠体で構成した請求項１記載のガス給湯器の取付け架台。
【請求項３】
上記取付け部の幅寸法を調整する為に、枠体を構成する上桟及び下桟、又は中桟を伸縮可能とした請求項２記載のガス給湯器の取付け架台。
【発明の詳細な説明】
【技術分野】
【０００１】
本発明はお風呂や台所などで使用する為のお湯を沸かすガス給湯器の取付け架台に関するものである。
【背景技術】
【０００２】
お湯を沸かす為にガス給湯器は多くの家庭で使用されている。ところで、ガス給湯器は屋外に設置されるが、建物の外壁面に取付けたり、軒下のコンクリート面に設置したり、その取付け形態は色々ある。
図６は建物の外壁面（ロ）に取付けた場合を示しているが、外壁面（ロ）には金具が固定され、この金具に引掛けて取付けられる。従って、外壁にはガス給湯器（イ）が取付けられるだけの強度が必要となる。
【０００３】
図７は建物の軒下にガス給湯器（イ）を設置している場合であり、地面にはコンクリートの土台（ハ）を作り、この土台（ハ）にガス給湯器（イ）が設置されている。そして、転倒しないように上端は外壁面（ロ）に固定されている。このように、建物の軒下に設置する場合、該建物の外壁面（ロ）には大きな負担はかからず安定するが、冬季に雪が降って積雪のある地域では不向きである。
【０００４】
すなわち、積雪が１メートル以上ともなれば、軒下のコンクリート土台（ハ）に設置したガス給湯器（イ）は雪に埋もれてしまい、その為に、完全燃焼が妨げられて危険である。また、雪に埋もれてしまうと保守・点検も容易でない。
【発明の開示】
【発明が解決しようとする課題】
【０００５】
このように、ガス給湯器を屋外に設置する場合、上記のごとき問題がある。本発明が解決しようとする課題はこの問題点であり、地面から所定の高さに安定して、しかも外観を良くして設置することが出来るガス給湯器の取付け架台を提供する。
【課題を解決するための手段】
【０００６】
本発明に係るガス給湯器の取付け架台は、ベースから垂直起立するスタッドを有し、該スタッドの上部には取付け部を設けている。ベースは軒下に設けたコンクリート土台に固定され、転倒することがないように成っている。固定の具体的な手段は限定しないが、土台に埋着したボルトにナットで締め付けることが出来る。
【０００７】
そして、スタッドの下部には配管部材を取付けることが出来る。配管部材は給湯管、給水管、ガス管、配線配管などを１つの部材としてまとめた構造としている。配管部材から上方へ延びる配管が表面化しないようにカバーすることが出来る配管カバーをガス給湯器の下側に取付けている。
【発明の効果】
【０００８】
本発明に係る架台は垂直に起立するスタット上部に設けた取付け部にガス給湯器を取付けることが出来る。該架台は建物の軒下に設けたコンクリート土台に据え付けて固定され、従って、取付け部に取付けられたガス給湯器は安定する。建物の外壁にガス給湯器を取付ける為の補強材を設ける必要もない。
【０００９】
そして、架台はベースから起立したスタッドを有し、ガス給湯器は該スタッドの所定の高さに取付けられる為に、積雪があってもガス給湯器が雪に埋もれることはない。スタッドには配管部材を配置することで、ガス給湯器との接続、例えば給湯管、給水管、ガス管などを簡単に繋ぐことが出来ると共に、各配管が表面化しないことで外観が向上する。
【図面の簡単な説明】
【００１０】
【図１】本発明の架台にガス給湯器を取付けた場合で、（ａ）は正面図、（ｂ）は側面図。
【図２】本発明に係るガス給湯器を取付ける架台を示す実施例で、（ａ）は正面図、（ｂ）は側面図。
【図３】取付け架台のベース。
【図４】取付け架台の取付け部に取着される表面板。
【図５】各種配管を筒体に収容した配管部材の具体例。
【図６】ガス給湯器を建物の外壁に取付けた場合。
【図７】ガス給湯器を軒下のコンクリート土台に設置した場合。
【発明を実施するための形態】
【００１１】
図１は本発明に係るガス給湯器の取付け架台を示す実施例である。同図の１はベース、２はスタッド、３は配管部材をそれぞれ表している。スタッド２はベース１から垂直に起立し、ガス給湯器４はスタッド２の上部に取付けられ、そしてガス給湯器４の下側には配管カバー５を取付けている。
【００１２】
上記ベース１は建物の軒下に設けたコンクリート製の土台にボルト締めにて固定され、その為に、建物の外壁を加工することなくガス給湯器を所定の高さに取付けることができる。図２は本発明の架台本体６を示す実施例であり、スタッド２の下端はベース１に溶接されて起立している。ここで、スタッド２は細長の長方形断面を有す中空パイプで構成され、このスタッド２にはガス給湯器４及び配管カバー５が取付けられる取付け部７を有している。勿論、スタッド２の形態を同図に示す場合に限定はしない。
【００１３】
上記取付け部７はスタッド２の両側へはみ出す大きさと成っている。すなわち、両縦桟８ａ，８ｂをスタッド２と平行に設け、スタッド２の上端には上桟９を、下側には下桟１０ａ，１０ｂを有していて、これら各桟にて中央にスタッド２を挟んで長方形の枠体を構成している。そして、上桟９と下桟１０ａ，１０ｂの間には中桟１１，１１ｂ、中桟１２ａ，１２ｂ、及び中桟１３ａ，１３ｂを設けている。
【００１４】
ここで、上桟９はスタッド２の上端に載置され、下桟１０ａ，１０ｂ、及び中桟１１ａ，１１ｂ，１２ａ，１２ｂ，１３ａ，１３ｂはスタッド２の側面１４ａ，１４ｂから外側へ延びている。そして、図２（ｂ）に示すように、上記各桟で構成した取付け部７はスタッド２と同一面と成っている。
【００１５】
ところで、この取付け部７にはガス給湯器４が取付けられる訳であるが、ガス給湯器４の横幅寸法に応じて取付け部７の横幅Ｍが調整出来る構造としている。そこで、上桟９はスタッド２を中心としてその長さを両側へ伸縮可能とし、同じく下桟１０ａ，１０ｂの長さも伸縮可能と成っている。さらに中桟１１ａ，１１ｂ、中桟１２ａ，１２ｂ、及び中桟１３ａ，１３ｂの長さも伸縮出来る構造としている。
【００１６】
図３はベース１の具体例を表している。スタッド２と同一面を成して両側へ足１５ａ，１５ｂを延ばし、また、スタッド２の両側から斜め前に延びる補助足１６ａ，１６ｂを設けている。すなわち、４本の足が土台に固定されてスタッド２は垂直に起立し、さらに足１５ａ，１５ｂとスタッド２とのコーナー部には補強板１７ａ，１７ｂが溶接され、また補助足１６ａ，１６ｂとスタッド２とのコーナー部には補強板１８ａ，１８ｂが溶接されている。勿論、ベース１はスタッド２を起立する為の固定部材であり、その形態は同図に示す場合に限定はしない。
【００１７】
図４は取付け部７の表面に取着する表面板１９を示している。この表面板１９は取付け部７を構成している各桟をカバーする為のものであり、機能上は必ずしも必要としない。従って、上記ガス給湯器４は取付け部７に固定した表面板１９を下にして取付けられる。
【００１８】
図５は配管部材３を示している。ガス給湯器４にてお湯を沸かす場合、水道管の水を供給する為の給水管が必要であり、ガス給湯器４にて沸かしたお湯を台所、お風呂、又は洗面所へ導く為の給湯管、そしてガス給湯器４にてお湯を沸かす為の燃料となるガスを供給するガス管が必要となる。そして、ガスを点火する為の電気配線、さらにはお風呂と接続する場合にはオーバーフロー管が設けられ、追炊き用の配管も必要となる。
【００１９】
本発明では、これらの各配管を別々に配置するのではなく、配管部材３にまとめて配管することが出来る。図５において、２０は給湯管、２１は給水管、２２はガス管、２３はオーバーフロー管、２４は追炊き配管、２５は配線用配管をそれぞれ表している。このように、各種配管は筒体２６の内部に配置されて、配管部材３としてスタッド２に取付けられる。
【００２０】
ところで、上記給湯管２０、給水管２１、ガス管２２、オーバーフロー管２３、追炊き配管２４、配線用配管２５の上端は筒体２６の上端から突出し、下端は筒体２６の下端から突出している。上記筒体２６の上端から延びている突出部はガス給湯器４と接続し、下端から下方へ延びている突出部は外部と接続している。
【００２１】
水道管は下端の突出部に接続して給水管２１を流れ、水道水をガス給湯器４に供給する。ガスの配管は下端の突出部に接続してガス管２２を流れ、ガスはガス給湯器４に供給される。そしてガス給湯器４にて沸いたお湯は、給湯管２０を流れて台所、洗面所、お風呂などへ導かれる。その為に、下端の突出部には各箇所へ導く為の配管が接続される。
【００２２】
また、配線用配管２５にはガス給湯器４を点火する為の電気配線が収容され、ガス給湯器４の点火装置と接続している。そして、オーバーフロー管２３はその上端突出部がガス給湯器４と接続し、下端突出部はお風呂と接続し、お風呂に供給したお湯の量が所定の水位に達したところで停止するように制御する為のものである。
【００２３】
さらに、追炊き配管２４はその上端突出部がガス給湯器４と接続し、下端突出部はお風呂と接続している。お風呂のお湯の温度が低下した場合に、お風呂とガス給湯器４との間に循環して温度を上げることが出来る。このように、配管部材をスタッド２に取付けてその上端突出部をガス給湯器４と接続し、下端突出部を外部の配管と接続することで、配管作業が便利であり、またスタッド表面に煩雑な配管が表面化しない。そして、上端の突出部からガス給湯器４までの配管は配管カバーによって被覆され、全体的に配管が露出しない形態となる。
【符号の説明】
【００２４】
１   ベース
２   スタッド
３   配管部材
４   ガス給湯器
５   配管カバー
６   本体
７   取付け部
８   縦桟
９   上桟
10   下桟
11   中桟
12   中桟
13   中桟
14   側面
15   足
16   補助足
17   補強板
18   補強板
19   表面板
20   給湯管
21   給水管
22   ガス管
23   オーバーフロー管
24   追炊き配管
25   配線用配管
26   筒体
【図１】
0005818733.tif 000002
【図２】
0005818733.tif 000003
【図３】
0005818733.tif 000004
【図４】
0005818733.tif 000005
【図５】
0005818733.tif 000006
【図６】
0005818733.tif 000007
【図７】
0005818733.tif 000008